(57)【要約】【課題】データ信号よりも高いリセット信号を印加するためのフィールド順次方式の液晶表示装置を提供する。【解決手段】  階調を表現するために液晶に印加されるデータ信号のレベルを上回るリセット信号を印加するためのフィールド順次方式の液晶表示装置であって、前記フィールド順次方式の液晶表示装置は、データ信号を発生するソースドライバ１２０と多数の画素を持った液晶パネル１００との間につながれた選択回路部１３０を有する。選択回路部は、リセット信号及びデータ信号を入力として持って、選択信号に応じて、リセット区間の間に、リセット信号をデータ線に出力し、データの書込み区間の間に、前記リセット信号△Ｖ１よりも低いレベル△Ｖ２を持ったデータ信号を出力する。【選択図】    図３
2006227572.tif 000002
【特許請求の範囲】
【請求項１】
多数の画素で構成され、映像を表示するための液晶パネルと；
走査線を介して前記液晶パネルに走査信号を供給するためのゲートドライバと；
データ信号を発生するためのソースドライバと；
前記ソースドライバと前記液晶パネルとの間につながれ、前記データ信号及び前記データ信号よりも高いレベルを持つリセット信号を選択的に前記液晶パネルに供給するための選択回路部とを含むフィールド順次方式の液晶表示装置。
【請求項２】
前記選択回路部は、
並列に配置され、選択信号に応じて前記リセット信号またはデータ信号を選択するための多数のスイッチング素子を有することを特徴とする請求項１に記載のフィールド順次方式の液晶表示装置。
【請求項３】
各々のスイッチング素子は、アナログスイッチであることを特徴とする請求項２に記載のフィールド順次方式の液晶表示装置。
【請求項４】
前記アナログスイッチは  、２入力マルチプレクサであることを特徴とする請求項３に記載のフィールド順次方式の液晶表示装置。
【請求項５】
前記２入力マルチプレクサは、前記選択信号に応じて相補的にオン／オフされる２つの転送ゲートで構成されたことを特徴とする請求項４に記載のフィールド順次方式の液晶表示装置。
【請求項６】
前記リセット信号は、２以上の矩形波を持つことを特徴とする請求項１に記載のフィールド順次方式の液晶表示装置。
【請求項７】
走査線とデータ線とが交差する領域に形成された画素を有し、映像を表示するための液晶パネルと；
前記走査線を介して前記画素に走査信号を供給するためのゲートドライバと；
データ信号を発生するためのソースドライバと；
前記ソースドライバと前記液晶パネルとの間につながれた多数のスイッチング素子を有し、選択信号に応じて前記データ信号、あるいは、前記データ信号を上回るレベルを持ったリセット信号を前記データ線を介して前記画素に供給するための選択回路部とを含むフィールド順次方式の液晶表示装置。
【請求項８】
前記選択回路部は、
リセット区間の間に、前記選択信号に応じて前記リセット信号を前記データ線に供給し、
データの書込み区間の間に、前記選択信号に応じて前記データ信号を前記データ線に供給することを特徴とする請求項７に記載のフィールド順次方式の液晶表示装置。
【請求項９】
前記選択回路部のスイッチング素子は、並列に配置された多数のアナログスイッチであり、前記アナログスイッチの数は、前記データ線の数に相応することを特徴とする請求項８に記載のフィールド順次方式の液晶表示装置。
【請求項１０】
各々のアナログスイッチは、２つの転送ゲートを有する２入力マルチプレクサであることを特徴とする請求項９に記載のフィールド順次方式の液晶表示装置。
【請求項１１】
前記２入力マルチプレクサは、前記データ信号及び前記選択信号を入力として持ち、前記選択信号に応じて前記データ信号、あるいは、前記リセット信号を前記データ線に供給することを特徴とする請求項１０に記載のフィールド順次方式の液晶表示装置。
【発明の詳細な説明】
【技術分野】
【０００１】
本発明は、フィールド順次方式の液晶表示装置に関し、より詳細には、リセット信号とデータ信号とを選択的に画素に供給可能なフィールド順次方式の液晶表示装置に関するものである。
【背景技術】
【０００２】
フィールド順次方式の液晶表示装置は、映像が表示される時間的単位である１フレームを３つのフィールドに分けて液晶を駆動する。すなわち、１フレームは、赤色のフィールド、緑色のフィールド及び青色のフィールドに分けられ、赤色のフィールドにおいては、赤色のランプが点灯されて赤色光が液晶に照射され、緑色のフィールドにおいては、同じ液晶に対して緑色光が液晶に照射され、青色のフィールドにおいては、青色光が液晶に照射される。
【０００３】
したがって、液晶がデータ信号に応答する速度は、少なくとも一般的なＴＦＴ−ＬＣＤに比べて速くなければならない。また、前フィールドにおいて印加されたデータ信号に応答して配列された液晶は、現フィールドに印加されるデータ信号に相応する配列を行うために、データ信号が印加される前に初期化されなければならない。
【０００４】
図１は、従来技術によるフィールド順次方式の液晶表示装置の動作方法を説明するためのタイミングチャートである。
【０００５】
図１を参照すれば、映像の単位になる一つのフレームは、赤色のフィールド、緑色のフィールド及び青色のフィールドから構成される。各々のフィールドは、リセット区間及びデータの書込み区間を持つ。リセット区間は、前フィールドに印加されたデータ信号に反応した液晶を初期化する区間である。液晶の初期化によって、液晶は充分に低い透過率を持つ。
【０００６】
例えば、赤色のフィールドは、リセット区間及びデータの書込み区間を持つ。赤色のフィールドのリセット区間の間、△Ｖのレベルを持ったリセット信号が画素の液晶に印加される。前記リセット信号は、矩形波状を持つ。また、赤色のフィールドのリセット区間が終わると、赤色のフィールドのデータの書込み区間が始まる。前記データの書込み区間は、初期化が行われた液晶に対して赤色のデータ信号を印加し、前記赤色のデータ信号によって配列された液晶に対して赤色光を照射する区間である。
【０００７】
前記赤色のフィールドが終わると、緑色のフィールドが始まる。緑色のフィールドにおいて、液晶に対する初期化、緑色のデータ信号の印加及び緑色のランプの点等の過程が順次行われる。また、緑色のフィールドが終わると、青色のフィールドが開始され、液晶に対する初期化、青色のデータ信号の印加及び青色のランプの点等の過程が行われる。
【０００８】
前記図１において、データ信号は、均一なレベルを持つ多数の矩形波である。前記データ信号のレベルは、リセット信号のレベルである△Ｖである。すなわち、液晶の初期化に要求されるリセット信号は、データ信号のレベルに等しいレベルを持つ。リセット信号がデータ信号に等しいレベルを持つ場合に、液晶の初期化が充分に行われないという問題が発生する。
【０００９】
前フィールドから印加されたデータ信号によって液晶が高い透過率を持つ場合、現フィールドのリセット区間においてリセット信号を印加するとしても、液晶の透過率は充分に低い値に下がらなくて、初期化が不充分になる。液晶の初期化の程度は、液晶に印加されるリセット信号及び初期化のために設定されるリセット区間の時間幅に依存するため、リセット信号を調節して液晶を充分に初期化する必要がある。
【００１０】
また、リセット区間を充分な時間幅に設定して液晶を充分に初期化するのは、望ましい解決策になり得ない。リセット区間が大きい場合、相対的にデータの書込み区間が減少して、データ信号の印加によって液晶の反応に要求される時間マージンが短くなる。したがって、データ信号は、充分に液晶に反映されなく、階調の表現力が顕著に減少するようになる。
【発明の開示】
【発明が解決しようとする課題】
【００１１】
前記のような問題点を解決するための本発明の目的は、データ信号よりも高いリセット信号を印加するためのフィールド順次方式の液晶表示装置を提供する。
【課題を解決するための手段】
【００１２】
前記目的を達成するための本発明は、多数の画素で構成され、映像を表示するための液晶パネルと；走査線を介して前記液晶パネルに走査信号を供給するためのゲートドライバと；データ信号を発生するためのソースドライバと；前記ソースドライバと前記液晶パネルとの間につながれ、前記データ信号及び前記データ信号よりも高いレベルを持つリセット信号を選択的に前記液晶パネルに供給するための選択回路部とを含むフィールド順次方式の液晶表示装置を提供する。
【００１３】
また、前記目的を達成するための本発明の他の手段は、走査線とデータ線とが交差する領域に形成された画素を有し、映像を表示するための液晶パネルと；前記走査線を介して前記画素に走査信号を供給するためのゲートドライバと；データ信号を発生するためのソースドライバと；前記ソースドライバと前記液晶パネルとの間につながれた多数のスイッチング素子を有し、選択信号に応じて前記データ信号、あるいは、前記データ信号を上回るレベルを持ったリセット信号を前記データ線を介して前記画素に供給するための選択回路部とを含むフィールド順次方式の液晶表示装置を提供する。
【発明の効果】
【００１４】
前記のような本発明によれば、フィールド順次方式の液晶表示装置は、ソースドライバと液晶パネルとの間につながれた選択回路部を有する。選択回路部に入力されるデータ信号、あるいは、データ信号のレベルを上回るレベルを持つリセット信号は、選択信号によって選択されてデータ線に転送される。したがって、リセット区間の間に、リセット信号が選択され、液晶に対する初期化が行われることができ、データの書込み区間の間に、選択回路部の動作によってデータ信号が選択されて、初期化が充分に行われた液晶にデータ信号が印加されることができる。
【発明を実施するための最良の形態】
【００１５】
以下、本発明に係る望ましい実施例を添付された図面を参照して詳細に述べる。
【００１６】
図２は、本発明の望ましい実施例によるフィールド順次方式の液晶表示装置の動作を説明するためのタイミングチャートである。
【００１７】
図２を参照すれば、映像の時間的単位である１フレームは、赤色のフィールド、緑色のフィールド及び青色のフィールドを持つ。各々のフィールドは、リセット区間及びデータの書込み区間を持つ。
【００１８】
赤色のフィールドのリセット区間において、△Ｖ１のレベルを持ったリセット信号が印加される。前記リセット信号は、矩形波状を持つ。また、前記リセット信号は、リセット区間において△Ｖ１のレベルを持つ２つ以上の矩形波からなることができる。前記リセット信号が一つの矩形波からなる場合、リセット信号がハイレベルを持つ区間は、リセット区間全体であってもよく、リセット区間よりも小さな時間を持ってもよい。
【００１９】
データ信号のレベル△Ｖ２を上回る△Ｖ１のレベルを持つリセット信号の印加によって、液晶は充分に初期化され、液晶の透過率もまた充分に下がる。
【００２０】
続いて、赤色のフィールドのリセット区間が終わると、赤色のフィールドのデータの書込み区間が始まる。データの書込み区間の間、赤色のデータ信号が液晶に印加される。前記赤色のフィールドの赤色のデータ信号は、△Ｖ２のレベルを持つ。また、前記赤色のデータ信号は、多数の矩形波から構成されてもよく、パルス幅の変調による信号であってもよい。赤色のデータ信号が印加される間に、画素の液晶は、前記赤色のデータ信号に応答して所定の配向を持つ。印加される赤色のデータ信号によって液晶が配列されると、赤色のランプが点灯され、所定の階調が表現される。
【００２１】
赤色のフィールドが終わると、緑色のフィールドが始まる。緑色のフィールドのリセット区間の間に、△Ｖ１のレベルを持ったリセット信号が液晶に印加され、液晶は初期化される。すなわち、赤色のフィールドから印加された赤色のデータ信号によって配列された液晶の透過率は、リセット信号の印加によって充分に下がる。液晶の初期化が終わると、緑色のデータ信号が印加され、緑色のランプが点灯される。
【００２２】
次に、緑色のフィールドが終わると、青色のフィールドが始まる。青色のフィールドのリセット区間の間に、データ信号のレベル△Ｖ２を上回る△Ｖ１のレベルを持ったリセット信号が液晶に印加される。リセット信号の印加によって、前記緑色のデータ信号に応答して配列された液晶は充分に初期化される。リセット区間が終わると、青色のデータ信号が液晶に印加され、青色のランプが点灯される。
【００２３】
したがって、一つの画素に、順次、赤色、緑色及び青色のランプが順次点灯され、所定の映像が表現される。また、データ信号の印加以前に、前記データ信号のレベルを上回るレベルを持ったリセット信号を液晶に印加して液晶を充分に初期化することができる。
【００２４】
図３は、本発明の望ましい実施例によるフィールド順次方式の液晶表示装置を示すブロック図である。
【００２５】
図３を参照すれば、フィールド順次方式の液晶表示装置は、液晶パネル１００、ゲートドライバ１１０、ソースドライバ１２０及び選択回路部１３０を有する。
【００２６】
前記液晶パネル１００は、多数のデータ線１３５と多数の走査線１１５とが交差する領域にそれぞれ形成された多数の画素１０５を有する。走査線１１５を介して走査信号が転送されると、画素を成す薄膜トランジスタは、ターンオンされ、ターンオンされた薄膜トランジスタを介してデータ線１３５のデータ信号が液晶に印加される。
【００２７】
前記ゲートドライバ１１０は、走査線１１５を介して走査信号を画素に供給する。走査信号によって画素が選択されて、データ信号の書込みが可能な状態となる。
【００２８】
ソースドライバ１２０は、選択回路部１３０の制御によってデータ信号を画素１０５に供給する。前記データ信号は、走査信号によって選択された画素の液晶に供給され、前記選択された画素の液晶はデータ信号に相応する透過率を持つように配向される。
【００２９】
選択回路部１３０は、選択信号Ｖｓｅｌの制御により、ソースドライバ１２０の出力であるデータ信号またはリセット信号Ｖｒを選択する。すなわち、選択回路部１３０がリセット信号Ｖｒを選択してデータ線１３５に印加する場合、画素の液晶は初期化され、選択回路部１３０がソースドライバ１２０の出力線１２５上のデータ信号を選択する場合、画素の液晶にはデータ信号が供給され、所定のランプは点灯される。
【００３０】
リセット信号Ｖｒは、データ信号が持つレベル△Ｖ２よりも高いレベル△Ｖ１を持って液晶に選択的に印加される。すなわち、前記液晶パネル１００の画素１０５のリセット区間の間に、選択回路部１３０は、入力されるリセット信号Ｖｒを選択してデータ線１３５に供給する。前記リセット信号Ｖｒの選択は、選択信号Ｖｓｅｌによって行われる。
【００３１】
データの書込み区間において、選択回路部１３０は、選択信号Ｖｓｅｌの制御によってリセット信号Ｖｒの供給を遮断する。一方、選択回路部１３０は、選択信号Ｖｓｅｌの制御によってソースドライバ１２０のデータ信号を選択し、データ線を介して△Ｖ２のレベルを持ったデータ信号を走査信号によって選択された画素に供給する。
【００３２】
図４Ａ及び図４Ｂは、本発明の望ましい実施例によるフィールド順次方式の液晶表示装置の選択回路部１３０の具体例を示す回路図である。
【００３３】
図４Ａを参照すれば、前記選択回路部１３０は、多数のスイッチング素子１３２から構成される。前記多数のスイッチング素子は、ソースドライバ１２０と液晶パネル１００との間に並列に配置される。
【００３４】
各々のスイッチング素子１３２には、リセット信号Ｖｒ及びソースドライバの出力信号であるデータ信号が印加され、前記スイッチング素子１３２は、リセット信号Ｖｒまたはデータ信号を選択してデータ線１３５に出力する。リセット信号Ｖｒまたはデータ信号の選択動作は、選択信号Ｖｓｅｌによって行われる。また、前記スイッチング素子１３２は、印加される信号のレベルに対する実質的な変化のないアナログスイッチであることが望ましい。
【００３５】
多数のスイッチング素子１３２には、選択信号Ｖｓｅｌが共通的に印加される。したがって、選択信号Ｖｓｅｌによって、多数のスイッチング素子は同じ動作を行う。すなわち、すべてのスイッチング素子は、同時にリセット信号Ｖｒを選択することができ、選択信号Ｖｓｅｌによって、すべてのスイッチング素子は、同時に多数のデータ信号を選択することができる。
【００３６】
したがって、リセット区間において、スイッチング素子１３２は、リセット信号Ｖｒを選択する。前記リセット信号Ｖｒは、データ信号のレベル△Ｖ２を上回るレベル△Ｖ１を持つ。また、データの書込み区間において、スイッチング素子１３２は、ソースドライバの出力であるデータ信号を選択して、これをデータ線１３５に供給する。
【００３７】
図４Ｂを参照すれば、前記図４Ａに示されたスイッチング素子は、マルチプレクサから構成される。各々のマルチプレクサ１３４は、２入力ＣＭＯＳマルチプレクサである。また、マルチプレクサは、２つの転送ゲートを有する。例えば、第１のマルチプレクサ１３４は、転送ゲートＴＧ１＿１、ＴＧ１＿２を有し、第２のマルチプレクサ１３６は、転送ゲートＴＧ２＿１、ＴＧ２＿２を有する。また、第３のマルチプレクサ１３８は、転送ゲートＴＧ３＿１、ＴＧ３＿２を有し、各々のマルチプレクサは、前記図４Ａに示された各々のスイッチング素子１３２に対応する。
【００３８】
前記図４Ｂにおいて、多数のマルチプレクサは、互いに並列に配置される。第１のマルチプレクサ１３４の出力端は、データ線１３５につながれ、転送ゲートＴＧ１＿１の入力端は、ソースドライバの出力端につながれ、転送ゲートＴＧ１＿２の入力端は、リセット信号Ｖｒにつながれる。
【００３９】
また、転送ゲートＴＧ１＿１のＰＭＯＳトランジスタ（ＦＥＴ）のゲート端子及び転送ゲートＴＧ１＿２のＮＭＯＳＦＥＴのゲート端子には、選択信号Ｖｓｅｌが印加され、転送ゲートＴＧ１＿１のＮＭＯＳＦＥＴのゲート端子及び転送ゲートＴＧ１＿２のＰＭＯＳＦＥＴのゲート端子には、反転された選択信号／Ｖｓｅｌ（以下  ／ＶｓｅｌはＶｓｅｌの反転信号レベルを表す）が印加される。前述したマルチプレクサの連結関係及び信号の入出力は、第２のマルチプレクサ１３６及び第３のマルチプレクサ１３８にも等しく適用される。したがって、各々のマルチプレクサを構成する２つの転送ゲートは、選択信号Ｖｓｅｌに対して互いに相補的にオン／オフされる。
【００４０】
また、組み込まれるマルチプレクサの数は、ソースドライバの出力線の数と等しく設定されることが望ましい。
【００４１】
選択信号Ｖｓｅｌがハイレベルであり、反転された選択信号／Ｖｓｅｌがローレベルの場合、転送ゲートＴＧ１＿２、ＴＧ２＿２、ＴＧ３＿２、…  がターンオンされ、リセット信号Ｖｒが選択されてデータ線に転送される。選択信号Ｖｓｅｌがローレベルであり、反転された選択信号／Ｖｓｅｌがハイレベルの場合、転送ゲートＴＧ１＿１、ＴＧ２＿１、ＴＧ３＿１、…  がターンオンされ、ソースドライバの出力であるデータ信号が選択されてデータ線に転送される。
【００４２】
前述した過程を経て、選択回路部１３０は、リセット信号Ｖｒ及びデータ信号を選択的にデータ線１３５に印加することができる。また、前記図４Ｂに示された回路は、前記図４Ａに示されたスイッチング素子１３２の構成例の一部を開示したものであり、スイッチング素子１３２は、前記リセット信号Ｖｒ及びデータ信号の選択機能を果たすものであれば、前記トランジスタの組合せと異なった他のトランジスタの組合せによって構成されることもできる。
【００４３】
図５は、本発明の望ましい実施例によって前記図４Ａ及び図４Ｂに示された選択回路部の動作を説明するためのタイミングチャートである。
【００４４】
図５を参照すれば、赤色のフィールドはリセット区間及びデータの書込み区間から構成される。リセット区間の間に、選択信号ＶｓｅｌはハイレベルＨに遷移される。ハイレベルを持つ選択信号Ｖｓｅｌによって、選択回路部１３０を構成する多数のスイッチング素子１３２はリセット信号Ｖｒを選択する。
【００４５】
前記リセット信号Ｖｒは、△Ｖ１のレベルを持ったＤＣ電圧レベルであることが望ましい。前記図４Ｂにおいて、ハイレベルを持つ選択信号Ｖｓｅｌによって、転送ゲートＴＧ１＿２、ＴＧ２＿２、ＴＧ３＿２、…はターンオンされ、データ線１３５に△Ｖ１のレベルを持ったリセット信号Ｖｒが送信される。データ線に送信されたリセット信号Ｖｒは、画素を構成する液晶に印加され、液晶は初期化される。
【００４６】
また、２以上の矩形波状を持ったリセット信号Ｖｒをデータ線に印加する場合、前記転送ゲートに印加されるリセット信号は、リセット区間の間に、２以上の矩形波として印加される。
【００４７】
リセット区間が終わって、データの書込み区間が始まると、選択信号ＶｓｅｌはローレベルＬに遷移される。ローレベルを持つ選択信号Ｖｓｅｌによって、選択回路部はソースドライバの出力であるデータ信号を選択する。すなわち、前記図４Ｂにおいて、転送ゲートＴＧ１＿１、ＴＧ２＿１、ＴＧ３＿１、…はターンオンされ、データ線に△Ｖ１よりも低い△Ｖ２のレベルを持つデータ信号を出力する。データ線に転送されたデータ信号は液晶に印加され、液晶は、前記データ信号に応答して配列され、所定のランプが点灯されて階調が表現される。
【００４８】
前述した過程は、映像の時間的単位である１フレーム間に順次行われる。すなわち、赤色のフィールド、緑色のフィールド及び青色のフィールドの順に順次行われる。
【００４９】
前述した過程を経て、リセット信号またはデータ信号を選択信号によって選択することができ、データ信号のレベルを上回るレベルを持ったリセット信号をデータ線に印加することができる。
【００５０】
前記においては、本発明の望ましい実施例を参照して説明したが、当該の技術分野の熟練された当業者は、前記の特許請求の範囲に記載の本発明の思想及び領域から逸脱しない範囲内において、本発明を様々に修正及び変更などが可能であり、本発明は前述した実施例及び添付された図面に限定されるものではない。
【図面の簡単な説明】
【００５１】
【図１】従来技術によるフィールド順次方式の液晶表示装置の動作方法を説明するためのタイミングチャートである。
【図２】本発明の望ましい実施例によるフィールド順次方式の液晶表示装置の動作を説明するためのタイミングチャートである。
【図３】本発明の望ましい実施例によるフィールド順次方式の液晶表示装置を示すブロック図である。
【図４Ａ】本発明の望ましい実施例によるフィールド順次方式の液晶表示装置の選択回路部を示す回路図である。
【図４Ｂ】本発明の望ましい実施例によるフィールド順次方式の液晶表示装置の選択回路部を示す回路図である。
【図５】本発明の望ましい実施例によって前記図４Ａ及び図４Ｂに示された選択回路部の動作を説明するためのタイミングチャートである。
【符号の説明】
【００５２】
１００  ：  液晶パネル              １１０  ：  ゲートドライバ
１２０  ：  ソースドライバ          １３０  ：  選択回路部
【図１】
2006227572.tif 000003
【図２】
2006227572.tif 000004
【図３】
2006227572.tif 000005
【図４Ａ】
2006227572.tif 000006
【図４Ｂ】
2006227572.tif 000007
【図５】
2006227572.tif 000008